(57)【要約】【課題】所定の周波数で共振するアンテナを用いてＩＤを識別可能とする識別体において、全体の面積を増大させることなく多くのＩＤを識別可能とする。【解決手段】長手方向を具備し、給電点を有さずに所定の周波数で共振するアンテナ１２を用いてＩＤを識別可能とするＩＤタグ１において、アンテナ１２は、ＩＤに応じた領域が、アンテナ１２の短手方向を跨ぐようにアンテナ１２と交差してベース基材２１を介して重ね合わされた線状パターン２２によって覆われている。【選択図】図１
2017084236.tif 000002
【特許請求の範囲】
【請求項１】
長手方向を具備し、給電点を有さずに所定の周波数で共振するアンテナを用いてＩＤを識別可能とする識別体であって、
前記アンテナは、ＩＤに応じた領域が、前記アンテナの短手方向を跨ぐように前記アンテナと絶縁状態で交差して重ね合わされた導電性パターンによって覆われている識別体。
【請求項２】
長手方向を具備し、給電点を有さずに所定の周波数で共振するアンテナを用いてＩＤを生成するＩＤ生成方法であって、
前記アンテナのうちＩＤに応じた領域を、前記アンテナの短手方向を跨ぐように前記アンテナと絶縁状態で交差して重ね合わされる導電性パターンによって覆う、ＩＤ生成方法。
【発明の詳細な説明】
【技術分野】
【０００１】
本発明は、所定の周波数で共振するアンテナを用いてＩＤを識別可能とする識別体及びＩＤ生成方法に関する。
【背景技術】
【０００２】
昨今、情報化社会の進展に伴って、商品等に貼付されるラベルやタグに情報を記録し、このラベルやタグを用いて商品等の管理が行われている。このようなラベルやタグを用いた情報管理においては、ラベルやタグに対して非接触状態にて情報の書き込みや読み出しを行うことが可能なＩＣチップが搭載された非接触型ＩＣラベルや非接触型ＩＣタグ等のＲＦＩＤ技術を利用した識別体がその優れた利便性から急速な普及が進みつつある。
【０００３】
このようなＲＦＩＤ技術を利用した識別体としては、上述したようにＩＣチップが搭載されたものに限らず、導電パターンからなる共振回路を用いたものも実用化されている。このような共振回路を用いたものにおいては、共振回路の共振周波数を変化させることで、その識別体が添付された商品等を管理することができる。
【０００４】
例えば、コイルと複数のコンデンサとが直列に接続された構成において、複数のコンデンサのうち任意のコンデンサを破壊することで、複数の共振周波数で共振可能となる共振タグが特許文献１に開示されている。この技術を用いれば、複数のコンデンサのうち任意のコンデンサを破壊することで共振周波数を変化させ、変化する共振周波数毎にＩＤを対応づけることにより、複数のＩＤを識別可能とすることができるようになる。
【０００５】
また、いわゆる万引き防止タグに利用されるものとして、商品等の清算時に加熱により共振回路の機能を停止させ、それにより、共振回路の共振周波数を検知できるか否かによって、商品等が清算済であるかどうかを判断できるようにする共振回路タグが、特許文献２に開示されている。
【先行技術文献】
【特許文献】
【０００６】
【特許文献１】特開２００２−２４５４２９号公報
【特許文献２】特許第３４８８５４７号公報
【発明の概要】
【発明が解決しようとする課題】
【０００７】
しかしながら、複数のコンデンサのうち任意のコンデンサを破壊することで共振周波数を変化させ、変化する共振周波数毎にＩＤを対応づけることにより、複数のＩＤを識別可能とするものにおいては、識別可能とするＩＤの数がコンデンサの数に限定されるため、識別可能とするＩＤの数を増やす場合、コンデンサの数を増やすこととなって識別体の面積やコストが増大してしまうという問題点がある。
【０００８】
また、加熱により共振回路の機能を停止させることで共振回路の共振周波数を検知できなくするものにおいては、共振周波数が検知できるかできないかの２種類のＩＤしか識別可能とならないという問題点がある。
【０００９】
本発明は、上述したような従来の技術が有する問題点に鑑みてなされたものであって、所定の周波数で共振するアンテナを用いてＩＤを識別可能とする識別体において、全体の面積を増大させることなく多くのＩＤを識別可能とすることができる識別体及びＩＤ生成方法を提供することを目的とする。
【課題を解決するための手段】
【００１０】
上記目的を達成するために本発明は、
長手方向を具備し、給電点を有さずに所定の周波数で共振するアンテナを用いてＩＤを識別可能とする識別体であって、
前記アンテナは、ＩＤに応じた領域が、前記アンテナの短手方向を跨ぐように前記アンテナと絶縁状態で交差して重ね合わされた導電性パターンによって覆われている。
【００１１】
上記のように構成された本発明においては、長手方向を具備し、給電点を有さずに所定の周波数で共振するアンテナ上に、アンテナの短手方向を跨ぐようにアンテナと絶縁状態で交差して導電性パターンが重ね合わされると、アンテナの導電性パターンによって覆われた領域に応じてアンテナの共振周波数が変化する。そこで、アンテナのうちＩＤに応じた領域が導電性パターンによって覆われた状態で共振周波数を検出すれば、そのＩＤを識別することができるようになる。このように、所定の周波数で共振する長手方向を具備するアンテナのうちＩＤに応じた領域を、アンテナの短手方向を跨ぐようにアンテナと絶縁状態で交差して重ね合わされた導電性パターンによって覆うだけでそのＩＤが識別可能となるので、全体の面積を増大させることなく多くのＩＤを識別可能とすることができる。
【発明の効果】
【００１２】
本発明によれば、所定の周波数で共振する長手方向を具備するアンテナのうちＩＤに応じた領域を、アンテナの短手方向を跨ぐようにアンテナと絶縁状態で交差して重ね合わされた導電性パターンによって覆うだけでそのＩＤが識別可能となるため、全体の面積を増大させることなく多くのＩＤを識別可能とすることができる。
【図面の簡単な説明】
【００１３】
【図１】本発明の識別体の実施の一形態を示す図であり、（ａ）は表面図、（ｂ）は（ａ）に示したＡ−Ａ’断面図、（ｃ）はベース基材１１の表面図である。
【図２】図１に示したＩＤタグのＩＤを判別するＩＤ判別システムの一例を示す図である。
【図３】図１に示したＩＤタグからの反射波における反射強度を説明するための図である。
【図４】図１に示したＩＤタグを用いてＩＤを生成するＩＤ生成方法の一例を説明するための図である。
【図５】図４に示した状態におけるＩＤタグからの反射強度を示す図である。
【図６】図１に示したＩＤタグを用いてＩＤを生成するＩＤ生成方法の他の例を説明するための図である。
【図７】図６に示した状態におけるＩＤタグからの反射強度を示す図である。
【図８】図１に示したＩＤタグの応用例を示す図である。
【図９】図８に示した応用例におけるＩＤ生成方法を説明するための図であり、（ａ）はアンテナと線状パターンとの位置関係を示す図、（ｂ）はアンテナに線状パターンが重ね合わされた状態の反射強度を示す図である。
【図１０】図１に示したＩＤタグのＩＤを判別するＩＤ判別システムの他の例を示す図である。
【発明を実施するための形態】
【００１４】
以下に、本発明の実施の形態について図面を参照して説明する。
【００１５】
図１は、本発明の識別体の実施の一形態を示す図であり、（ａ）は表面図、（ｂ）は（ａ）に示したＡ−Ａ’断面図、（ｃ）はベース基材１１の表面図である。
【００１６】
本形態の識別体は図１に示すように、一方の面にアンテナ１２が形成されたベース基材１１上に、一方の面に導電性パターンとなる線状パターン２２が形成されたベース基材２１が積層されてなるＩＤタグ１である。
【００１７】
２つのベース基材１１，２１はそれぞれ、紙やフィルム等の絶縁性材料からなり、長手方向を有する長方形の形状を有している。
【００１８】
アンテナ１２は、ベース基材１１の一方の面に、ベース基材１１の長手方向に延びた帯状形状を有して形成されており、それにより、長手方向を具備する形状となっている。アンテナ１２は、給電点を有さない構成であり、その形状に応じた周波数で共振する。
【００１９】
線状パターン２２は、ベース基材２１の一方の面に、ベース基材１１の短手方向に延びた線状形状を有して形成されている。
【００２０】
上記のようにアンテナ１２が形成されたベース基材１１と、線状パターン２２が形成されたベース基材２１とが、ベース基材１１のアンテナ１２が形成された面と、ベース基材２１の線状パターン２２が形成されていない面とが対向するように重ね合わされてＩＤタグ１が構成される。すると、線状パターン２２が、アンテナ１２の短手方向を跨ぐようにアンテナ１２と直交してベース基材２１によってアンテナ１２と絶縁状態で重ね合わされた状態となる。
【００２１】
以下に、上記のように構成されたＩＤタグ１を用いたＩＤ判別方法について説明する。
【００２２】
図２は、図１に示したＩＤタグ１のＩＤを判別するＩＤ判別システムの一例を示す図である。
【００２３】
本例におけるＩＤ判別システムは図２に示すように、図１に示したＩＤタグ１と、ＩＤタグ１のＩＤを判別する読取器４０とから構成され、読取器４０は、送受信アンテナ４１と、電磁波放射部４２と、反射強度検知部４３と、ＩＤ判別部４４とを有している。
【００２４】
電磁波放射部４２は、ＩＤタグ１のアンテナ１２の共振周波数を含む周波数帯をスイープしながら当該周波数帯の電磁波を送受信アンテナ４１を介して放射する。
【００２５】
反射強度検知部４３は、電磁波放射部４２から放射された電磁波に対して送受信アンテナ４１を介して受信された反射波における反射強度を検知する。
【００２６】
ＩＤ判別部４４は、反射強度検知部４３にて検知された反射強度によってＩＤタグ１におけるアンテナの共振周波数を検出し、この共振周波数の検出結果に基づいて、ＩＤタグ１に付与されたＩＤを判別する。
【００２７】
以下に、図２に示したＩＤ判別システムにおいて、図１に示したＩＤタグ１のＩＤを判別する方法について具体的に説明する。
【００２８】
図３は、図１に示したＩＤタグ１からの反射波における反射強度を説明するための図である。
【００２９】
図１に示したＩＤタグ１において、２つのベース基材１１，２１が重ね合わされておらずにアンテナ１２上に線状パターン２２が重ね合わされていない状態において、電磁波放射部４２から、アンテナ１２の共振周波数を含む周波数の電磁波が送受信アンテナ４１を介して放射されると、図３（ａ）中破線で示すように、反射強度検知部４３において、ｆ0にピーク値を有する反射強度が検知される。このピーク値となるｆ0は、アンテナ１２の共振周波数となっている。
【００３０】
一方、図１に示したＩＤタグ１において、２つのベース基材１１，２１が重ね合わされることでアンテナ１２上に線状パターン２２が重ね合わされた状態において、電磁波放射部４２から、アンテナ１２の共振周波数を含む周波数の電磁波が送受信アンテナ４１を介して放射されると、図３（ａ）中実線で示すように、反射強度検知部４３にて検知される反射強度のピーク値がｆ1に現れ、アンテナ１２上に線状パターン２２が重ね合わされていない状態に対して反射強度のピーク値が低周波数側にシフトする。
【００３１】
そこで、上述したように反射強度のピーク値がシフトすることを利用し、アンテナ１２上における線状パターン２２の重ね合わせ状態を変えることで、ＩＤタグ１に付与するＩＤを生成し、ＩＤ判別部４４において、反射強度検知部４３にて検知された反射強度のピーク値に基づいて、ＩＤタグ１に付与されたＩＤを判別することとなる。
【００３２】
図４は、図１に示したＩＤタグ１を用いてＩＤを生成するＩＤ生成方法の一例を説明するための図である。図５は、図４に示した状態におけるＩＤタグ１からの反射強度を示す図である。
【００３３】
図１に示したＩＤタグ１において、図４（ａ）に示すように、線状パターン２２がアンテナ１２の長手方向中央付近にて直交するように、アンテナ１２上にベース基材２１を介して線状パターン２２が重ね合わされた状態にて、電磁波放射部４２から、アンテナ１２の共振周波数を含む周波数の電磁波が送受信アンテナ４１を介して放射されると、図５中実線で示すように、反射強度検知部４３にて検知される反射強度のピーク値がｆ1に現れる。
【００３４】
また、図１に示したＩＤタグ１において、図４（ｂ）に示すように、線状パターン２２がアンテナ１２の長手方向中央からアンテナ１２の端部側に１ｍｍ程度ずれた領域にて直交するように、アンテナ１２上にベース基材２１を介して線状パターン２２が重ね合わされた状態にて、電磁波放射部４２から、アンテナ１２の共振周波数を含む周波数の電磁波が送受信アンテナ４１を介して放射されると、図５中破線で示すように、反射強度検知部４３にて検知される反射強度のピーク値がｆ2に現れ、線状パターン２２がアンテナ１２の長手方向中央付近にて交差するようにアンテナ１２上に線状パターン２２が重ね合わされた際のピーク値よりも低周波数側にシフトする。
【００３５】
また、図１に示したＩＤタグ１において、図４（ｃ）に示すように、線状パターン２２がアンテナ１２の長手方向中央からアンテナ１２の端部側に２ｍｍ程度ずれた領域にて直交するように、アンテナ１２上にベース基材２１を介して線状パターン２２が重ね合わされた状態にて、電磁波放射部４２から、アンテナ１２の共振周波数を含む周波数の電磁波が送受信アンテナ４１を介して放射されると、図５中一点鎖線で示すように、反射強度検知部４３にて検知される反射強度のピーク値がｆ3に現れ、ピーク値がさらに低周波数側にシフトする。
【００３６】
また、図１に示したＩＤタグ１において、図４（ｄ）に示すように、線状パターン２２がアンテナ１２の長手方向端部近傍にて直交するように、アンテナ１２上にベース基材２１を介して線状パターン２２が重ね合わされた状態にて、電磁波放射部４２から、アンテナ１２の共振周波数を含む周波数の電磁波が送受信アンテナ４１を介して放射されると、図５中二点鎖線で示すように、反射強度検知部４３にて検知される反射強度のピーク値がｆ4に現れ、ピーク値が低周波数側に大きくシフトする。
【００３７】
このように、長手方向を具備し、給電点を有さずに所定の周波数で共振するアンテナ１２上に、アンテナ１２の短手方向を跨ぐようにアンテナ１２と直交してベース基材２１を介して線状パターン２２が重ね合わされると、その線状パターン２２の位置に応じて、反射強度検知部４３にて検知される反射強度のピーク値が変化する。そこで、アンテナ１２上のうちＩＤタグ１に付与されたＩＤに応じた位置に線状パターン２２を重ね合わせることで、アンテナ１２のうちＩＤに応じた領域を線状パターン２２で覆うとともに、ＩＤ判別部４４において、その際のピーク値とＩＤとを対向づけて登録しておくことにより、上記のようにして共振周波数となる反射強度のピーク値を検出し、このピーク値に対応づけられたＩＤを検出することで、例えば、図４（ａ）に示した状態とされたＩＤタグと、図４（ｂ）に示した状態とされたＩＤタグと、図４（ｃ）に示した状態とされたＩＤタグと、図４（ｄ）に示した状態とされたＩＤタグとで、識別されるＩＤを異ならせることができ、ＩＤタグ１に付与されたＩＤを識別することができるようになる。この際、アンテナ１２上にて線状パターン２２が重ね合わされる位置に応じてＩＤが識別可能となるので、全体の面積を増大させることなく多くのＩＤを識別可能とすることができる。
【００３８】
図６は、図１に示したＩＤタグ１を用いてＩＤを生成するＩＤ生成方法の他の例を説明するための図である。図７は、図６に示した状態におけるＩＤタグ１からの反射強度を示す図である。
【００３９】
図１に示したＩＤタグ１において、図６（ａ）に示すように、１本の線状パターン２２がアンテナ１２の長手方向中央付近にて直交するように、アンテナ１２上にベース基材２１を介して線状パターン２２が重ね合わされた状態にて、電磁波放射部４２から、アンテナ１２の共振周波数を含む周波数の電磁波が送受信アンテナ４１を介して放射されると、図７中実線で示すように、反射強度検知部４３にて検知される反射強度のピーク値がｆ1に現れる。
【００４０】
また、図１に示したＩＤタグ１において、図６（ｂ）に示すように、線状パターン２２が、アンテナ１２の長手方向中央付近に１本と、そこからアンテナ１２の端部方向に離れた領域にそれぞれ１本ずつ配置され、これら３本の線状パターン２２がアンテナ１２と直交するようにアンテナ１２上にベース基材２１を介して重ね合わされた状態にて、電磁波放射部４２から、アンテナ１２の共振周波数を含む周波数の電磁波が送受信アンテナ４１を介して放射されると、図７中破線で示すように、反射強度検知部４３にて検知される反射強度のピーク値がｆ2に現れ、１本の線状パターン２２がアンテナ１２の長手方向中央付近にて直交するようにアンテナ１２上に線状パターン２２が重ね合わされた際のピーク値よりも低周波数側にシフトする。
【００４１】
また、図１に示したＩＤタグ１において、図６（ｃ）に示すように、線状パターン２２が、アンテナ１２の長手方向中央付近に１本と、アンテナ１２の長手方向両端部近傍にそれぞれ１本ずつと、それらの間にそれぞれ１本ずつ配置され、これら５本の線状パターン２２がアンテナ１２と直交するようにアンテナ１２上にベース基材２１を介して重ね合わされた状態にて、電磁波放射部４２から、アンテナ１２の共振周波数を含む周波数の電磁波が送受信アンテナ４１を介して放射されると、図７中一点鎖線で示すように、反射強度検知部４３にて検知される反射強度のピーク値がｆ3に現れ、ピーク値がさらに低周波数側にシフトする。
【００４２】
また、図１に示したＩＤタグ１において、図６（ｄ）に示すように、線状パターン２２が、アンテナ１２の長手方向中央付近に１本と、アンテナ１２の長手方向両端部近傍にそれぞれ１本ずつと、それらの間にそれぞれ等間隔に３本ずつ配置され、これら９本の線状パターン２２がアンテナ１２と直交するようにアンテナ１２上にベース基材２１を介して重ね合わされた状態にて、電磁波放射部４２から、アンテナ１２の共振周波数を含む周波数の電磁波が送受信アンテナ４１を介して放射されると、図７中二点鎖線で示すように、反射強度検知部４３にて検知される反射強度のピーク値がｆ4に現れ、ピーク値が低周波数側に大きくシフトする。
【００４３】
このように、長手方向を具備し、給電点を有さずに所定の周波数で共振するアンテナ１２上に、アンテナ１２の短手方向を跨ぐようにアンテナ１２と直交してベース基材２１を介して線状パターン２２が重ね合わされると、その線状パターン２２の本数に応じて、反射強度検知部４３にて検知される反射強度のピーク値が変化する。これは、アンテナ１２に重ね合わされる線状パターン２２の位置がその本数に応じて変化することによるものである。そこで、上述したものと同様に、アンテナ１２上のうちＩＤタグ１に付与されたＩＤに応じた位置に線状パターン２２を重ね合わせることで、アンテナ１２のうちＩＤに応じた領域を線状パターン２２で覆うとともに、ＩＤ判別部４４において、その際のピーク値とＩＤとを対向づけて登録しておくことにより、上記のようにして共振周波数となる反射強度のピーク値を検出し、このピーク値に対応づけられたＩＤを検出することで、例えば、図６（ａ）に示した状態とされたＩＤタグと、図６（ｂ）に示した状態とされたＩＤタグと、図６（ｃ）に示した状態とされたＩＤタグと、図６（ｄ）に示した状態とされたＩＤタグとで、識別されるＩＤを異ならせることができ、ＩＤタグ１に付与されたＩＤを識別することができるようになる。この際、アンテナ１２上に重ね合わされる線状パターン２２の本数に応じてＩＤが識別可能となるので、全体の面積を増大させることなく多くのＩＤを識別可能とすることができる。
【００４４】
なお、上述した実施の形態においては、アンテナ１２上のうちＩＤタグ１に付与されたＩＤに応じた位置に線状パターン２２を重ね合わせることで、アンテナ１２のうちＩＤに応じた領域を線状パターン２２で覆っているが、線状パターン２２の幅を変えることで、アンテナ１２のうちＩＤに応じた領域を線状パターン２２で覆うことも考えられる。
【００４５】
また、上述したようにアンテナ１２上に線状パターン２２を重ね合わせることで、アンテナ１２からの反射強度のピーク値がシフトするのは、アンテナ１２の短手方向を跨ぐように線状パターン２２がアンテナ１２と交差していれば、アンテナ１２と線状パターン２２とが直交している場合に限らない。ただし、アンテナ１２の長手方向と線状パターン２２とのなす角度が直交に近づくほどピーク値のシフト量が大きくなるため、ＩＤを識別しやすくなる。
【００４６】
また、上述した実施の形態においては、アンテナ１２上にベース基材２１を介して線状パターン２２を重ね合わせることで、線状パターン２２が、アンテナ１２と絶縁状態で重ね合わされているが、例えば、線状パターン２２が形成された板状部材に、この板状部材よりも厚さが厚い枠部材を取り付け、線状パターン２２とアンテナ１２とが互いに交差するようにこれらを重ね合わせた場合に、線状パターン２２とアンテナ１２とが枠部材の厚さによって空気層を介して重なり合うことで、これら線状パターン２２がアンテナ１２と絶縁状態で重ね合わされた構成としてもよい。
【００４７】
また、上述した実施の形態においては、アンテナの短手方向を跨ぐように一方向に延びた直線状の線状パターンが導電性パターンとしてアンテナ上に重ね合わされているが、線状パターンの形状は、全体的に一方向に延びるものであれば、湾曲していたり、波型やジグザグ型となっていたりしてもよい。
【００４８】
以下に、上述したＩＤタグ１の応用例について説明する。
【００４９】
図８は、図１に示したＩＤタグ１の応用例を示す図である。
【００５０】
図８に示すように、図１に示したＩＤタグ１の構成は、封筒１０２に封入された封入物１２０ａ〜１２０ｃのマッチング確認に応用することができる。
【００５１】
図８に示すように本例においては、前面片１０３、後面片１０４及びフラップ部１０５からなる封筒１０２に、３つの封入物１２０ａ〜１２０ｃが封入されるものとする。封筒１０２のフラップ部１０５には、図１に示したアンテナ１２と同様に、長手方向を具備し、給電点を有さずに所定の周波数で共振するアンテナ１１２が形成されている。このアンテナ１１２は、フラップ部１０５が折り畳まれた場合に後面片１０４と対向する面に形成されており、それにより、フラップ部１０５が折り畳まれて封筒１０２が封緘された状態では、外部から視認不可能な状態となる。
【００５２】
封入物１２０ａ〜１２０ｃのそれぞれには、封入物１２０ａ〜１２０ｃが封筒１０２に封入され、フラップ部１０５が折り畳まれた状態にてアンテナ１１２と対向する領域に、線状パターン１２２ａ〜１２２ｃが形成されている。この線状パターン１２２ａ〜１２２ｃは、図１に示したＩＤタグ１と同様に、アンテナ１１２の短手方向を跨ぐようにアンテナ１１２と直交して重ね合わされることになるが、その位置は互いに異なるものとなっている。
【００５３】
図９は、図８に示した応用例におけるＩＤ生成方法を説明するための図であり、（ａ）はアンテナ１１２と線状パターン１２２ａ〜１２２ｃとの位置関係を示す図、（ｂ）はアンテナ１１２に線状パターン１２２ａ〜１２２ｃが重ね合わされた状態の反射強度を示す図である。
【００５４】
図８に示した応用例においては、封入物１２０ａ〜１２０ｃが全て封筒１０２に封入されてフラップ部１０５が折り畳まれることで封緘された場合、図９（ａ）に示すように、フラップ部１０５に形成されたアンテナ１１２には、後面片１０４や封入物１２０ａ〜１２０ｃを介して、封入物１２０ａ〜１２０ｃに形成された線状パターン１２２ａ〜１２２ｃが直交して重なり合うことになる。この状態で、アンテナ１１２の共振周波数を含む周波数の電磁波が放射されると、図９（ｂ）中実線で示すように、反射強度のピーク値がｆ1に現れる。
【００５５】
また、封入物１２０ａ〜１２０ｃのうち、封入物１２０ａ，１２０ｂのみが封筒１０２に封入されて封入物１２０ｃが封入されない状態でフラップ部１０５が折り畳まれることで封緘された場合、フラップ部１０５に形成されたアンテナ１１２には、後面片１０４や封入物１２０ａ，１２０ｂを介して、封入物１２０ａ，１２０ｂに形成された線状パターン１２２ａ，１２２ｂが直交して重なり合うことになる。この状態で、アンテナ１１２の共振周波数を含む周波数の電磁波が放射されると、図９（ｂ）中破線で示すように、反射強度のピーク値がｆ2に現れ、封入物１２０ａ〜１２０ｃが全て封筒１０２に封入された場合よりもピーク値が高周波数側にシフトする。
【００５６】
また、封入物１２０ａ〜１２０ｃのうち、封入物１２０ａのみが封筒１０２に封入されて封入物１２０ｂ，１２０ｃが封入されない状態でフラップ部１０５が折り畳まれることで封緘された場合、フラップ部１０５に形成されたアンテナ１１２には、後面片１０４や封入物１２０ａを介して、封入物１２０ａに形成された線状パターン１２２ａが直交して重なり合うことになる。この状態で、アンテナ１１２の共振周波数を含む周波数の電磁波が放射されると、図９（ｂ）中一点鎖線で示すように、反射強度のピーク値がｆ3に現れ、ピーク値がさらに高周波数側にシフトする。
【００５７】
このように、封筒１０２に封入される封入物の組み合わせによって、フラップ部１０５に形成されたアンテナ１１２上に線状パターンが重ね合わされる領域が変化することで、検知される反射強度のピーク値が変化する。そこで、封筒１０２に封入されるべき封入物１２０ａ〜１２０ｃが全て封筒１０２に封入された場合における反射強度のピーク値を予め登録しておき、検知された反射強度のピーク値が、登録されたピーク値と一致するかどうかによって、封筒１０２に封入されるべき封入物１２０ａ〜１２０ｃが全て封筒１０２に封入されているかどうかを確認することができる。
【００５８】
なお、上述した応用例においては、フラップ部１０５にアンテナ１１２が形成されているが、アンテナ１１２は、封筒１０２の前面片や後面片、あるいは封入物１２０ａ〜１２０ｂとともに封筒１０２に封入される宛名台紙に形成されていてもよい。ただし、フラップ部１０５にアンテナ１１２を形成するものにおいては、封筒１０２が作製された後に、例えば封入物１２０ａ〜１２０ｃを封筒１０２に封入する工程等においてアンテナ１１２を形成することができるとともに、フラップ部１０５が開かれることで封筒１０２が開封されると、封入物１２０ａ〜１２０ｃにそれぞれ形成された線状パターン１２２ａ〜１２２ｃとアンテナ１１２とが重なり合わない状態となり、それにより、封筒１０２の製造工程時や使用時におけるＩＤの誤認識を回避することができる。
【００５９】
図１０は、図１に示したＩＤタグ１のＩＤを判別するＩＤ判別システムの他の例を示す図である。
【００６０】
本例におけるＩＤ判別システムは図１０に示すように、図１に示したＩＤタグ１と、ＩＤタグ１のＩＤを判別する読取器１４０とから構成され、読取器１４０は、送信アンテナ１４１ａと、受信アンテナ１４１ｂと、電磁波放射部１４２と、反射強度検知部１４３と、制御部１４４とを有している。
【００６１】
電磁波放射部１４２は、ＩＤタグ１のアンテナ１１２の共振周波数を含む周波数帯をスイープしながら当該周波数帯の電磁波を送信アンテナ１４１ａを介して放射する。
【００６２】
反射強度検知部１４３は、電磁波放射部１４２から放射された電磁波に対して受信アンテナ１４１ｂを介して受信された反射波における反射強度を検知する。
【００６３】
制御部１４４は、電磁波放射部１４２から放射する電磁波の周波数帯を制御するとともに、反射強度検知部１４３にて検知された反射強度によってＩＤタグ１におけるアンテナの共振周波数を検出し、この共振周波数の検出結果に基づいて、ＩＤタグ１に付与されたＩＤを判別する。
【符号の説明】
【００６４】
１    ＩＤタグ
１１，２１    ベース基材
１２，１１２    アンテナ
２２，１２２ａ〜１２２ｃ    線状パターン
４０，１４０    読取器
４１    送受信アンテナ
４２，１４２    電磁波放射部
４３，１４３    反射強度検知部
４４    ＩＤ判別部
１０２    封筒
１０３    前面片
１０４    後面片
１０５    フラップ部
１２０ａ〜１２０ｃ    封入物
１４１ａ    送信アンテナ
１４１ｂ    受信アンテナ
１４４    制御部
【図１】
2017084236.tif 000003
【図２】
2017084236.tif 000004
【図３】
2017084236.tif 000005
【図４】
2017084236.tif 000006
【図５】
2017084236.tif 000007
【図６】
2017084236.tif 000008
【図７】
2017084236.tif 000009
【図８】
2017084236.tif 000010
【図９】
2017084236.tif 000011
【図１０】
2017084236.tif 000012